(57)【要約】【課題】  座席への装着が容易であり、幼児を安全に着席させることができる鉄道車両用チャイルドシートを提供する。【解決手段】  鉄道車両用チャイルドシートにおいて、鉄道車両内の座席１のシート２の幅と同じ幅を有し、前記座席１の背もたれ４側に所定の高さを持って密着するように配置される折り畳み型のチャイルドシート５と、このチャイルドシート５上に着席した幼児７に装着されるシートベルト８とを具備する。【選択図】  図１
2013049295.tif 000002
【特許請求の範囲】
【請求項１】
鉄道車両内の座席のシートの幅と同じ幅を有し、前記座席の背もたれ側に所定の高さを持って密着するように配置される折り畳み型のチャイルドシートと、
該チャイルドシート上に着席した幼児に装着されるシートベルトとを具備することを特徴とする鉄道車両用チャイルドシート。
【請求項２】
請求項１記載の鉄道車両用チャイルドシートにおいて、前記チャイルドシートは幅方向中央部で半分に折り畳み可能で、その裏面に起倒自在に配置されるロックピン付き脚部を具備することを特徴とする鉄道車両用チャイルドシート。
【請求項３】
請求項１記載の鉄道車両用チャイルドシートにおいて、前記チャイルドシートは幅方向両外側部を軸にして中央部から観音開きが可能な、前記チャイルドシートの両側に設けられる、枢着部材及びロックピン付き脚片を具備することを特徴とする鉄道車両用チャイルドシート。
【請求項４】
請求項３記載の鉄道車両用チャイルドシートにおいて、前記座席のシートの両脇にレールガイドを取り付けるとともに、前記脚片の先端部にレールを配備し、前記レールガイド上に前記レールをスライド係合させることにより、前記座席のシートに前記チャイルドシートを設置することを特徴とする鉄道車両用チャイルドシート。
【発明の詳細な説明】
【技術分野】
【０００１】
本発明は、鉄道車両用チャイルドシートに関するものであり、特に、新幹線や特急列車などへ配置する携帯型鉄道車両用チャイルドシートに関するものである。
【背景技術】
【０００２】
従来、鉄道車両の多くは大人用の座席しかなく、通常、幼児は大人の膝の上に座らせている。従来の大人用座席に幼児が一人で座った場合、車窓の高さに目が届かないので、幼児は車窓から外の景色を満喫することができない。また、シートベルトがないので転落の危険性がある。
幼児が座席に一人で座るための鉄道車両用チャイルドシートとしては、下記に開示されるようなものがあった。
【０００３】
（１）水戸岡鋭治氏がＪＲ九州の特急列車のために新しくデザインした、二人用座席の１つが子供専用、もう１つが大人専用となっている「親子座席」
（２）背もたれと、座席面と、子供を車両用チャイルドシートに固定するための一体型ベルトシステムとを有する車両用チャイルドシート（下記特許文献１参照）
（３）航空機や電車に持ち込むことを想定した、折畳式チャイルドシート（下記特許文献２参照）
（４）大人用座席とは別個に設置されるチャイルドシート（下記特許文献３参照）
【先行技術文献】
【特許文献】
【０００４】
【特許文献１】特開２０１０−２４７８２５号公報
【特許文献２】特開２０００−３４３９９３号公報
【特許文献３】特開２００１−０８８７９６号公報
【発明の概要】
【発明が解決しようとする課題】
【０００５】
しかしながら、上記した（１）の親子座席では、子供専用座席に大人が座ることができない。そのため、特に、新幹線など大人の利用客が多い車両では、この親子座席を適用することは難しいといった問題があった。
また、上記した（２）の一体型ベルトシステムを有する車両用チャイルドシートは、その取付けが煩雑であり、迅速な着脱を要求される新幹線などへの適用には難があるといった問題があった。
【０００６】
さらに、上記した（３）の折畳式チャイルドシートは、持ち歩き可能な携帯型チャイルドシートを座席へ設置するものであり、鉄道車両の座席へ備え付けておくものとして考慮されたものではない。
そこで、大人用座席を必要に応じて子供用座席にすることができる、着脱が簡単、コンパクトに収納できるチャイルドシートが望まれている。
【０００７】
本発明は、上記状況に鑑みて、座席への装着が容易であり、幼児を安全に着席させることができる鉄道車両用チャイルドシートを提供することを目的とする。
【課題を解決するための手段】
【０００８】
本発明は、上記目的を達成するために、
〔１〕鉄道車両用チャイルドシートにおいて、鉄道車両内の座席のシートの幅と同じ幅を有し、前記座席の背もたれ側に所定の高さを持って密着するように配置される折り畳み型のチャイルドシートと、このチャイルドシート上に着席した幼児に装着されるシートベルトとを具備することを特徴とする。
【０００９】
〔２〕上記〔１〕記載の鉄道車両用チャイルドシートにおいて、前記チャイルドシートは幅方向中央で半分に折り畳み可能で、その裏面に起倒自在に配置されるロックピン付き脚部を具備することを特徴とする。
〔３〕上記〔１〕記載の鉄道車両用チャイルドシートにおいて、前記チャイルドシートは幅方向両外側部を軸にして中央部から観音開きが可能な、前記チャイルドシートの両側に設けられる、枢着部材及びロックピン付き脚片を具備することを特徴とする。
【００１０】
〔４〕上記〔３〕記載の鉄道車両用チャイルドシートにおいて、前記座席のシートの両脇にレールガイドを取り付けるとともに、前記脚片の先端部にレールを配備し、前記レールガイド上に前記レールをスライド係合させることにより、前記座席のシートに前記チャイルドシートを設置することを特徴とする。
【発明の効果】
【００１１】
本発明によれば、座席への着脱が容易であり、また、コンパクトに折り畳むことができ、収納しやすい鉄道車両用チャイルドシートを提供することができる。
さらに、設置したチャイルドシートの座面は、大人用座席の座面より高くなるので、小さい幼児でも一人で座席に着席し、車窓からの眺めを満喫することができる。
【図面の簡単な説明】
【００１２】
【図１】本発明の第１実施例を示す鉄道車両用チャイルドシートの装着状態を示す模式図である。
【図２】本発明の第１実施例を示す鉄道車両用チャイルドシートの構造を示す模式図である。
【図３】本発明の第１実施例を示す鉄道車両用チャイルドシートの座席への装着過程を示す模式図である。
【図４】本発明の第２実施例を示す鉄道車両用チャイルドシートの装着状態を示す模式図である。
【図５】本発明の第２実施例を示す鉄道車両用チャイルドシートの構造を示す模式図である。
【図６】本発明の第２実施例を示す鉄道車両用チャイルドシートの座席への装着過程を示す模式図である。
【図７】本発明の第２実施例の変形例を示す鉄道車両用チャイルドシートの装着状態を示す模式図である。
【図８】本発明の第２実施例の変形例を示す鉄道車両用チャイルドシートの構造を示す模式図である。
【図９】本発明の第２実施例の変形例を示す鉄道車両用チャイルドシートの座席への装着過程を示す模式図である。
【発明を実施するための形態】
【００１３】
本発明の鉄道車両用チャイルドシートは、鉄道車両内の座席のシートの幅と同じ幅を有し、前記座席の背もたれ側に所定の高さを持って密着するように配置される折り畳み型のチャイルドシートと、このチャイルドシート上に着席した幼児に装着されるシートベルトとを具備する。
【実施例】
【００１４】
以下、本発明の実施の形態について詳細に説明する。
図１は本発明の第１実施例を示す鉄道車両用チャイルドシートの装着状態を示す模式図、図２はその鉄道車両用チャイルドシートの構造を示す模式図であり、図２（ａ）はそのチャイルドシートが２つに折り畳まれた状態（脚は倒されている状態）を示す図、図２（ｂ）はそのチャイルドシートが広げられた状態（脚は倒されている状態）を示す図、図２（ｃ）はそのチャイルドシートが広げられた状態（脚が起こされている状態）を示す図、図３はその鉄道車両用チャイルドシートの座席への装着過程を示す模式図である。
【００１５】
これらの図において、１は鉄道車両内の座席、２は座席１のシート、３は座席１のひじ掛け、４は座席１の背もたれ、５は座席１のシート２に装着される鉄道車両用チャイルドシート、５Ａは面ファスナーからなる接続部、６は鉄道車両用チャイルドシート５の裏面に設けられる脚、６Ａはチャイルドシート５を使用するために脚６を起こした際にロックを掛けるロックピン、６Ｂは畳まれている状態の脚６が収納される凹み、７は座席１に着席する幼児、８は幼児７の胴回りと股の間を通して座席１のシート２に幼児７を固定するシートベルトである。
【００１６】
本実施例では、鉄道車両用チャイルドシート５は、図２に示すように、幅方向中央部で半分に折り畳まれる構造となっており、折り畳まれた時に露出する側面である接続部５Ａには面ファスナーが設けられていて、チャイルドシート５を広げて使用する際に左右の座面を安定的に接続する。また、鉄道車両用チャイルドシート５の裏面には２本の脚６が配置されており、チャイルドシート５が半分に折り畳まれた状態の時は裏面に設けられた凹み６Ｂに収納される。なお、鉄道車両用チャイルドシート５の脚６の本数は、ここでは両側に１本ずつで合計２本だけ配置しているが、両側に２本ずつで合計４本配置するようにしてもよい。この鉄道車両用チャイルドシート５を設置することにより、チャイルドシート５の座面が高くなり、幼児７は大人と同様に車窓から外の景色を楽しむことができる。さらに、シートベルト８によりチャイルドシート５に幼児７を安全に着席させることができる。
【００１７】
図３を参照しながら、本実施例の鉄道車両用チャイルドシートの座席への装着過程を説明する。
（１）まず、図３（ａ）に示すように、半分に折り畳まれた状態から、鉄道車両用チャイルドシート５の片側の脚６を起こして、座席１のシート２の背もたれ４側に密着させて配置する（ステップＳ１）。
【００１８】
（２）次に、図３（ｂ）に示すように、鉄道車両用チャイルドシート５のもう一方の脚６を起こす（ステップＳ２）。
（３）次に、図３（ｃ）に示すように、鉄道車両用チャイルドシート５の座面が座席１の座面に水平になるように広げる（ステップＳ３）。なお、チャイルドシート５は座席１のシート２の幅と同じ幅で構成されている。
【００１９】
（４）上記ステップＳ３で広げた鉄道車両用チャイルドシート５に、図３（ｄ）に示すように、幼児７を座らせる（ステップＳ４）。
（５）最後に、図２（ｅ）に示すように、幼児７の胴回りと股の間を通してシートベルト８を装着し、座席１のシート２に固定する（ステップＳ５）。なお、シートベルト８がチャイルドシート５に一体に取り付けられている場合は、座らせる際にシートベルト８が幼児７の胴回りと股の間を通るようにしてもよい。
【００２０】
図４は本発明の第２実施例を示す鉄道車両用チャイルドシートの装着状態を示す模式図、図５はその鉄道車両用チャイルドシートの構造を示す模式図であり、図５（ａ）はそのチャイルドシートの脚片が畳まれた状態を示す図、図５（ｂ）はそのチャイルドシートの脚片が起こされた状態（ロックが掛かった状態）を示す図、図６はその鉄道車両用チャイルドシートの座席への装着過程を示す模式図である。
【００２１】
これらの図において、１１は鉄道車両内の座席、１２は座席１１のシート、１３は座席１１のひじ掛け、１４は座席１１の背もたれ、１５は座席１１のシート１２に装着される鉄道車両用チャイルドシートである。このチャイルドシート１５は、図５（ａ）に示すように、裏面に畳まれる２枚の脚片１６を備えている。この２枚の脚片１６は、図５（ｂ）に示すように、チャイルドシート１５の幅方向の両外側部を軸にして枢着部材１６Ａにより中央から両側へ観音開きに開かれ、垂下状になるとロックピン１６Ｂでロックされるように構成されている。
【００２２】
図６を参照しながら、本実施例の鉄道車両用チャイルドシートの座席への装着過程を説明する。
（１）まず、図６（ａ）に示すように、鉄道車両用チャイルドシート１５の２枚の脚片１６を開いて、座席１１のシート１２の背もたれ１４側に密着させて配置する。（ステップＳ１１）。なお、チャイルドシート１５は座席１１のシート１２の幅と同じ幅で構成されている。
【００２３】
（２）上記ステップＳ１１で配置した鉄道車両用チャイルドシート１５に、図６（ｂ）に示すように、幼児１７を座らせる（ステップＳ１２）。
（３）最後に、図６（ｃ）に示すように、幼児１７の胴回りと股の間を通してシートベルト１８を装着し、座席１１のシート１２に固定する（ステップＳ１３）。なお、第１実施例と同様に、シートベルト１８がチャイルドシート１５に一体に取り付けられている場合は、座らせる際にシートベルト１８が幼児１７の胴回りと股の間を通るようにしてもよい。
【００２４】
このように構成することで、鉄道車両用チャイルドシート１５の脚片１６を起こして座席１１に設置することにより、チャイルドシート１５の座面が高くなり、幼児１７は大人と同様に車窓から外の景色を楽しむことができる。
図７は本発明の第２実施例の変形例を示す鉄道車両用チャイルドシートの装着状態を示す模式図であり、図７（ａ）はその全体斜視図、図７（ｂ）は座席のシートに取付けられるレールガイドの斜視図、図８はその鉄道車両用チャイルドシートの構造を示す模式図であり、図８（ａ）はそのチャイルドシートの脚片が畳まれた状態を示す図、図８（ｂ）はその鉄道車両用チャイルドシートの脚片が起こされた状態（ロックが掛かった状態）を示す図、図９はその鉄道車両用チャイルドシートの座席への装着過程を示す模式図である。
【００２５】
これらの図において、１１〜１４，１７，１８は第２実施例で示した通りであり、この変形例では、さらに、車両内の座席１１のシート１２の両脇にレールガイド２０を配置する。このレールガイド２０は、例えば、図７（ｂ）に示すように、レールガイド部２０Ａが設けられており、その裏面２０Ｂは面ファスナーからなる。２１は鉄道車両用チャイルドシートであり、図８（ａ）に示すように、裏面に畳まれる２枚の脚片２２を備えている。この２枚の脚片２２は、図８（ｂ）に示すように、チャイルドシート２１の幅方向の両外端部を軸にして中央から両側へ枢着部材２２Ａにより観音開きに開かれ、垂下状になるとロックピン２２Ｂでロックされるように構成されている。また、この２枚の脚片２２の先端部にはレールガイド部２０Ａとスライド係合するレール２３が設けられている。
【００２６】
図９を参照しながら、本変形例の鉄道車両用チャイルドシートの座席への装着過程を説明する。
（１）まず、図９（ａ）に示すように、座席１１のシート１２の両脇にレールガイド２０を取り付ける（ステップＳ２１）。
（２）次いで、図９（ｂ）に示すように、鉄道車両用チャイルドシート２１の２枚の脚片２２を開き、この２枚の脚片２２の先端部に設けられたレール２３をシート１２の手前側からレールガイド２０のレールガイド部２０Ａにスライド係合させ、座席１１のシート１２の背もたれ１４側に密着させてチャイルドシート２１を配置する（ステップＳ２２）。
【００２７】
（３）上記ステップＳ２２で配置した鉄道車両用チャイルドシート２１に、図９（ｃ）に示すように、幼児１７を座らせる（ステップＳ２３）。
（４）最後に、図９（ｄ）に示すように、幼児１７の胴回りと股の間を通してシートベルト１８を装着し、座席１１のシート１２に固定する。なお、シートベルト１８がチャイルドシート２１との一体型の場合は、第１，第２実施例と同様に装着する（ステップＳ２４）。
【００２８】
このように構成することで、鉄道車両用チャイルドシート２１の脚片２２を起こして座席１１に設置することにより、チャイルドシート２１の座面が高くなり、幼児１７は大人と同様に車窓から外の景色を楽しむことができる。また、レールガイド２０のレールガイド部２０Ａにチャイルドシート２１の２枚の脚片２２の先端部に設けられたレール２３をスライド係合させてチャイルドシート２１を設置するようにしたので、第２実施例のチャイルドシート１５に比べて座席への着脱をより容易に行うことができるとともに、チャイルドシート２１が座席１１のシート１２により安全に固定される。
【００２９】
上記各実施例において示した鉄道車両用チャイルドシートは、例えば座席のひじ掛け３，１３内に折り畳んで収納しておくことも可能である。
また、本発明の鉄道車両用チャイルドシートは、第１，第２実施例に示すように、座席のシート幅と同じ幅で構成されているので、シートに設置後はひじ掛けと密着して固定されるが、更なる安全を期するために、座席へ固定するための固定ベルト等を具えるようにしてもよい。さらに、第２実施例の変形例では、固定ベルト等に代えて、設置後のレールのスライドを防止するロック機構を設けてもよい。
【００３０】
なお、本発明は上記実施例に限定されるものではなく、本発明の趣旨に基づき種々の変形が可能であり、これらを本発明の範囲から排除するものではない。
【産業上の利用可能性】
【００３１】
本発明の鉄道車両用チャイルドシートは、座席への装着が容易であり、幼児を安全に着席させることができる鉄道車両用チャイルドシートとして利用可能である。
【符号の説明】
【００３２】
１，１１    鉄道車両内の座席
２，１２    座席のシート
３，１３    座席のひじ掛け
４，１４    座席の背もたれ
５，１５，２１    鉄道車両用チャイルドシート
５Ａ    面ファスナーからなる接続部
６    脚
６Ａ，１６Ｂ，２２Ｂ    ロックピン
６Ｂ    凹み
７，１７    幼児
８，１８    シートベルト
１６，２２    脚片
１６Ａ，２２Ａ    枢着部材
２０    レールガイド
２０Ａ    レールガイド部
２０Ｂ    面ファスナーを有する裏面
２３    レール
【図１】
2013049295.tif 000003
【図２】
2013049295.tif 000004
【図３】
2013049295.tif 000005
【図４】
2013049295.tif 000006
【図５】
2013049295.tif 000007
【図６】
2013049295.tif 000008
【図７】
2013049295.tif 000009
【図８】
2013049295.tif 000010
【図９】
2013049295.tif 000011